(57)【要約】【課題】複数のセルに対して適応的に周波数ブロック、タイムスロット、符号もしくはこれらの組み合わせ等の無線リソースを割り振ることで周波数利用効率を向上させることのできる移動通信システム、基地局装置、移動局装置、および、スケジューリング方法を提供する。【解決手段】複数の基地局装置を備え、移動局装置に対して通信サービスを提供する移動通信システムであって、周辺基地局装置の近傍に存在する移動局装置を介し、上記周辺基地局装置の無線リソースの使用状況の情報を取得する手段と、取得した情報に基づき、着目基地局装置において上記周辺基地局装置が使用中の無線リソースを使用不可もしくはその無線リソースへのユーザデータの割り振りが行われにくくする手段とを備える。【選択図】図３
2008278265.tif 000002
【特許請求の範囲】
【請求項１】
複数の基地局装置を備え、移動局装置に対して通信サービスを提供する移動通信システムであって、
周辺基地局装置の近傍に存在する移動局装置を介し、上記周辺基地局装置の無線リソースの使用状況の情報を取得する手段と、
取得した情報に基づき、着目基地局装置において上記周辺基地局装置が使用中の無線リソースを使用不可もしくはその無線リソースへのユーザデータの割り振りが行われにくくする手段とを備えたことを特徴とする移動通信システム。
【請求項２】
請求項１に記載の移動通信システムにおいて、
上記周辺基地局装置が報知する無線リソースの使用状況の情報を上記移動局装置を介して取得することを特徴とする移動通信システム。
【請求項３】
請求項１に記載の移動通信システムにおいて、
上記移動局装置における周波数領域、時間領域、符号領域もしくはこれらの組み合わせ等についての干渉電力測定により、上記周辺基地局装置の無線リソースの使用状況の情報を取得することを特徴とする移動通信システム。
【請求項４】
請求項３に記載の移動通信システムにおいて、
上記周辺基地局装置からの信号の受信電力レベルにより、上記移動局装置が上記周辺基地局装置の近傍にあるか否か判定し、
近傍にある場合に上記干渉電力測定を行うことを特徴とする移動通信システム。
【請求項５】
請求項３に記載の移動通信システムにおいて、
上記周辺基地局装置の位置情報と上記移動局装置の位置情報とから求めた距離により、上記移動局装置が上記周辺基地局装置の近傍にあるか否か判定し、
近傍にある場合に上記干渉電力測定を行うことを特徴とする移動通信システム。
【請求項６】
移動通信システムの基地局装置であって、
移動局装置から通知された周辺基地局装置の無線リソースの使用状況の情報に基づき、自装置において上記周辺基地局装置が使用中の無線リソースを使用不可もしくはその無線リソースへのユーザデータの割り振りが行われにくくする手段を備えたことを特徴とする基地局装置。
【請求項７】
移動通信システムの移動局装置であって、
周辺基地局装置の無線リソースの使用状況の情報を取得する手段と、
取得した無線リソースの使用状況の情報を着目基地局装置もしくは無線リソースの使用状況の情報を受信した以外の周辺基地局装置の少なくとも一つに通知する手段とを備えたことを特徴とする移動局装置。
【請求項８】
請求項７に記載の移動局装置において、
上記無線リソースの使用状況の情報は、上記周辺基地局装置からの信号の干渉電力を測定することにより取得することを特徴とする移動局装置。
【請求項９】
請求項７または８のいずれか一項に記載の移動局装置において、
上記無線リソースの使用状況の情報の取得および当該情報の通知のタイミングは、上記着目基地局装置からの指示に基づいて決定することを特徴とする移動局装置。
【請求項１０】
移動通信システムの制御方法であって、
周辺基地局装置の近傍に存在する移動局装置を介し、上記周辺基地局装置の無線リソースの使用状況の情報を取得する工程と、
取得した情報に基づき、着目基地局装置において上記周辺基地局装置が使用中の無線リソースを使用不可もしくはその無線リソースへのユーザデータの割り振りが行われにくくする工程とを備えたことを特徴とするスケジューリング方法。
【発明の詳細な説明】
【技術分野】
【０００１】
本発明は、移動通信システム、基地局装置、移動局装置、および、スケジューリング方法に関する。
【背景技術】
【０００２】
ＯＦＤＭＡ（Orthogonal Frequency Division Multiple Access）は、信号を多数のサブキャリアに分割して並列伝送を行うため、マルチパス環境でも高品質な受信特性を実現することができる。このため、ＯＦＤＭＡはＳ３Ｇ（Super 3rd Generation）やＷｉＭＡＸ（Worldwide Interoperability for Microwave Access）で採用されている。
【０００３】
図１はＯＦＤＭＡによる周波数ブロックの割り振りの例を示す図であり、（ａ）はある時点における移動局＃１〜＃３の信号レベルを示し、（ｂ）は各移動局＃１〜＃３への周波数ブロックの割り振り状態を示している。すなわち、移動局＃１の信号レベルが高い周波数域に対応する周波数ブロックを移動局＃１に割り振り、移動局＃２の信号レベルが高い周波数域に対応する周波数ブロックを移動局＃２に割り振り、移動局＃３の信号レベルが高い周波数域に対応する周波数ブロックを移動局＃３に割り振る。このように、ＯＦＤＭＡでは、マルチパスによる伝搬路変動で移動局毎に良好な品質を示す周波数域が異なることに対応して、適切な周波数ブロックを移動局に割り振ることにより高品質な受信特性を実現している。なお、伝搬路は時間変動するため、周波数ブロックの割り振りは固定的ではなく、パケットスケジューリングにより逐次に変動する。
【０００４】
Ｓ３Ｇにおけるパケットスケジューリングは次のような手順で行われる。
（１）移動局は１無線リソースブロックを送信する周波数単位毎にチャネル品質（ＣＱＩ：Channel Quality Indicator）を測定し、測定したＣＱＩ情報を上りリンクの制御チャネルにより基地局に報告する。
（２）基地局は、複数の移動局から通知されたＣＱＩ情報を基にスケジューリングを行い、時間フレームの最小単位であるサブフレームにおける無線リソースブロックをスケジューリングにより選択された移動局に送信する。
【０００５】
このように、ＣＱＩに応じて最適な周波数ブロックを各移動局に割り振るため、移動局間のダイバーシチ効果（マルチユーザダイバシチ）を得ることができ、ユーザスループット（１ユーザが単位時間内に誤りなく伝送できるデータ量）およびセルスループットの向上が可能となる。
【０００６】
一方、セルラ移動通信システムにおいては、マクロセル、マイクロセル、ピコセルというような大きさが異なるセルをオーバレイする階層化セル構成を組む場合がある。例えば、トラヒックが集中するホットスポットをマイクロセルでカバーさせて高トラヒックを吸収し、マクロセルのトラヒックを緩和するという運用がある。また、簡易基地局によってビル内等に形成されるピコセルや、固定と携帯の融合（ＦＭＣ：Fixed and Mobile Convergence）サービスを実現するためにユーザ宅に設置される超小型のホーム基地局（Home eNodeB（非特許文献１等を参照。））が形成するセルについても、マクロセルとのオーバレイとなる。以下、マクロセルを大セルと呼び、オーバレイされるマイクロセルやピコセルを小セルと呼ぶ。
【０００７】
また、ホーム基地局は、専用線ではなくＡＤＳＬ（Asymmetric Digital Subscriber Line）等の加入者線に繋がることが想定されている。このため、ホーム基地局同士、ホーム基地局とマクロ基地局（マクロセルに対応する通信事業者側が設置する比較的規模の大きい基地局）間の有線ネットワーク（ＮＷ：Network）での情報のやり取りは困難であり、インタフェースは規定されない可能性が高い。また、インタフェースが規定されたとしても、ホーム基地局同士、ホーム基地局とマクロ基地局間の情報のやり取りは数十秒要すると考えられるので、頻繁に行うことはできない。
【非特許文献１】3GPP TSG RAN #35 RP-070209 Lemesos, Cyprus, 6-9 March 2007(http://www.3gpp.org/ftp/tsg_ran/TSG_RAN/TSGR_35/Docs/)
【発明の開示】
【発明が解決しようとする課題】
【０００８】
上述した階層化セル構成では、送信電力の大きい大セルから送信電力の小さい小セルへの干渉が問題となる。図２はマクロ基地局からホーム基地局への干渉の例を示す図であり、（ａ）に示すようにマクロ基地局の大セル内にホーム基地局の小セルが存在し、ホーム基地局の近傍に移動局＃１が存在し、ホーム基地局と離れた場所に移動局＃２が存在するものとする。今、ホーム基地局が移動局＃１と通信を行っていたとすると、マクロ基地局が移動局＃２と通信を行うことで、マクロ基地局からの大きな送信電力の無線信号により移動局＃１は干渉を受け、受信品質が劣化する。（ｂ）は移動局＃１および移動局＃２のＳＩＲ（Signal to Interference power Ratio）を示しており、干渉により移動局＃１のＳＩＲが低下していることを示している。
【０００９】
その解決策として両者の周波数帯域を分けることが考えられるが、周波数帯域は限られているため分けられない場合がある。このとき前述したようなＯＦＤＭＡに代表される周波数を分割して利用するアクセス方式では、大セルと小セルに同一帯域内の異なる周波数ブロックを割り振ることで干渉を回避することが考えられる。
【００１０】
ただし、大セルと小セルに対して異なる周波数ブロックを固定的に割り振った場合には分割損が発生することになる。例えば、ホーム基地局では収容するユーザが限られており、それらのユーザとの通信を行っていない場合には周波数ブロックを使用しないが、周波数ブロックを固定的に割り振っていると、空いている周波数ブロックを大セルで使用することができない。
【００１１】
また、大セルと小セルにおいて異なるタイムスロットを使用することで、干渉を回避する方法も考えられる。これについても、大セルと小セルに対して異なるタイムスロットを固定的に割り振った場合には分割損が発生することになる。
【００１２】
なお、階層化セル構成における大セルと小セルの関係に限らず、同程度のセルサイズのセル間においても同様の問題がある。
【００１３】
本発明は上記の従来の問題点に鑑み提案されたものであり、その目的とするところは、複数のセルに対して適応的に周波数ブロック、タイムスロット、符号もしくはこれらの組み合わせ等の無線リソースを割り振ることで周波数利用効率を向上させることのできる移動通信システム、基地局装置、移動局装置、および、スケジューリング方法を提供することにある。
【００１４】
なお、複数のセルに対して適応的に周波数ブロックを割り振る手法は、ＯＦＤＭＡに代表される周波数を分割して利用するアクセス方式に適用することができる。また、複数のセルに対して適応的にタイムスロットを割り振る手法は、ＴＤＭＡ（Time Division Multiple Access）やＣＤＭＡ（Code Division Multiple Access）のような周波数を分割して利用しないアクセス方式にも適用することもできる。更に、複数のセルに対して適応的に符号を割り振る手法は、ＣＤＭＡに適用することができる。
【課題を解決するための手段】
【００１５】
上記の課題を解決するため、本発明にあっては、請求項１に記載されるように、複数の基地局装置を備え、移動局装置に対して通信サービスを提供する移動通信システムであって、周辺基地局装置の近傍に存在する移動局装置を介し、上記周辺基地局装置の無線リソースの使用状況の情報を取得する手段と、取得した情報に基づき、着目基地局装置において上記周辺基地局装置が使用中の無線リソースを使用不可もしくはその無線リソースへのユーザデータの割り振りが行われにくくする手段とを備える移動通信システムを要旨としている。
【００１６】
また、請求項２に記載されるように、請求項１に記載の移動通信システムにおいて、上記周辺基地局装置が報知する無線リソースの使用状況の情報を上記移動局装置を介して取得するようにすることができる。
【００１７】
また、請求項３に記載されるように、請求項１に記載の移動通信システムにおいて、上記移動局装置における周波数領域、時間領域、符号領域もしくはこれらの組み合わせ等についての干渉電力測定により、上記周辺基地局装置の無線リソースの使用状況の情報を取得するようにすることができる。
【００１８】
また、請求項４に記載されるように、請求項３に記載の移動通信システムにおいて、上記周辺基地局装置からの信号の受信電力レベルにより、上記移動局装置が上記周辺基地局装置の近傍にあるか否か判定し、近傍にある場合に上記干渉電力測定を行うようにすることができる。
【００１９】
また、請求項５に記載されるように、請求項３に記載の移動通信システムにおいて、上記周辺基地局装置の位置情報と上記移動局装置の位置情報とから求めた距離により、上記移動局装置が上記周辺基地局装置の近傍にあるか否か判定し、近傍にある場合に上記干渉電力測定を行うようにすることができる。
【００２０】
また、請求項６に記載されるように、移動通信システムの基地局装置であって、移動局装置から通知された周辺基地局装置の無線リソースの使用状況の情報に基づき、自装置において上記周辺基地局装置が使用中の無線リソースを使用不可もしくはその無線リソースへのユーザデータの割り振りが行われにくくする手段を備える基地局装置として構成することができる。
【００２１】
また、請求項７に記載されるように、移動通信システムの移動局装置であって、周辺基地局装置の無線リソースの使用状況の情報を取得する手段と、取得した無線リソースの使用状況の情報を着目基地局装置もしくは無線リソースの使用状況の情報を受信した以外の周辺基地局装置の少なくとも一つに通知する手段とを備える移動局装置として構成することができる。
【００２２】
また、請求項８に記載されるように、請求項７に記載の移動局装置において、上記無線リソースの使用状況の情報は、上記周辺基地局装置からの信号の干渉電力を測定することにより取得するようにすることができる。
【００２３】
また、請求項９に記載されるように、請求項７または８のいずれか一項に記載の移動局装置において、上記無線リソースの使用状況の情報の取得および当該情報の通知のタイミングは、上記着目基地局装置からの指示に基づいて決定するようにすることができる。
【００２４】
また、請求項１０に記載されるように、移動通信システムの制御方法であって、周辺基地局装置の近傍に存在する移動局装置を介し、上記周辺基地局装置の無線リソースの使用状況の情報を取得する工程と、取得した情報に基づき、着目基地局装置において上記周辺基地局装置が使用中の無線リソースを使用不可もしくはその無線リソースへのユーザデータの割り振りが行われにくくする工程とを備えるスケジューリング方法として構成することができる。
【発明の効果】
【００２５】
本発明の移動通信システム、基地局装置、移動局装置、および、スケジューリング方法にあっては、複数のセルに対して適応的に周波数ブロック、タイムスロット、符号もしくはこれらの組み合わせ等の無線リソースを割り振ることで、周波数利用効率を向上させることができる。
【００２６】
なお、複数のセルに対して適応的に周波数ブロック、タイムスロットもしくはこれらの組み合わせを割り振る手法は、ＯＦＤＭＡに代表される周波数を分割して利用するアクセス方式に適用することができる。また、複数のセルに対して適応的にタイムスロットを割り振る手法は、ＴＤＭＡやＣＤＭＡのような周波数を分割して利用しないアクセス方式にも適用することもできる。更に、複数のセルに対して適応的に符号を割り振る手法は、ＣＤＭＡに適用することができる。
【００２７】
また、階層化セル構成における大セルと小セルの場合に特に効果が期待できるが、これに限らず、同程度のセルサイズのセル間干渉の低減にも利用できる。これにより、隣接セル間で異なる無線リソースを占有することで、干渉を低減し、良好な品質を確保することができる。
【発明を実施するための最良の形態】
【００２８】
以下、本発明の好適な実施形態につき説明する。
【００２９】
＜第１の実施形態＞
図３は第１の実施形態の構成例を示す図である。
【００３０】
図３において、基地局１＃１は制御対象として着目している基地局であり、移動局２は基地局１＃１のセル内に存在するものとする。また、基地局１＃２は移動局２の周辺に存在する基地局である。なお、階層化セル構成における大セルと小セルの関係に当てはめた場合、基地局１＃１はマクロ基地局となり、基地局１＃２はホーム基地局となるが、同程度のセルサイズの基地局同士であってもよい。
【００３１】
基地局１＃１、１＃２は同様な構成となっており、自装置における無線リソースの使用状況を認識する無線リソース使用状況認識部１１と、この無線リソース使用状況認識部１１で認識した無線リソースの使用状況を共通制御チャネルにより移動局２側に報知する共通制御チャネル送信部１２とを備えている。
【００３２】
また、基地局１＃１、１＃２は、移動局２側から制御チャネルにより通知される、周辺基地局の無線リソースの使用状況の情報を受信する制御チャネル受信部１３と、受信した無線リソースの使用状況の情報に基づいてＯＦＤＭＡ等のパケットスケジューリングを行うスケジューラ１４と、スケジューリングの結果に応じてユーザデータを共有チャネルにより移動局２側に送信する共有チャネル送信部１５とを備えている。
【００３３】
一方、移動局２は、周辺基地局（基地局１＃２）から共通制御チャネルにより報知される、周辺基地局の無線リソースの使用状況の情報を受信する共通制御チャネル受信部２１と、この共通制御チャネル受信部２１で受信した無線リソースの使用状況の情報を制御チャネルにより着目基地局（基地局１＃１）もしくは無線リソースの使用状況の情報を受信した以外の周辺基地局の少なくとも一つに送信する制御チャネル送信部２２とを備えている。
【００３４】
図４は第１の実施形態の処理例を示す図である。
【００３５】
図４において、基地局（周辺基地局）１＃２は、自装置の無線リソースの使用状況を共通制御チャネルで移動局２に報知する（ステップＳ１０１）。
【００３６】
移動局２は、基地局（周辺基地局）１＃２からの共通制御チャネルを受信する（ステップＳ１０２）。この際、移動局２は接続基地局との通信を行っていない間に、基地局（周辺基地局）１＃２とフレームタイミングの同期を確立する等の通常の接続手順を行い、共通制御チャネルを受信する。なお、周辺基地局と通信を行うために必要な情報（フレームタイミングや使用コード等）は保持していてもよい。また、周辺基地局との接続は、周期的に行うか、もしくは周辺基地局の共通制御チャネルの受信電力レベルが閾値を超えたことをトリガとして行ってもよい。更に、周辺基地局との接続は、着目基地局の無線リソースの使用状況がある閾値以下になったことや着目基地局が新設されたことをトリガとして、着目基地局が周辺基地局へ指示を行うことによって、開始されてもよい。
【００３７】
次いで、移動局２は、基地局（周辺基地局）１＃２の無線リソースの使用状況を基地局（着目基地局）１＃１に制御チャネルで送信する（ステップＳ１０３）。これは、測定報告（Measurement Report）により、もしくは独自フレームを使った手続により行う。制御チャネルによる送信は、周期的に行うか、もしくは周辺基地局の共通制御チャネルの受信電力レベルが閾値を超えたことをトリガとして行ってもよい。さらに、制御チャネルによる送信は、着目基地局の無線リソースの使用状況がある閾値以下になったことや着目基地局が新設されたことをトリガとして、着目基地局が周辺基地局へ指示を行うことによって、開始されてもよい。
【００３８】
これを受け、基地局（着目基地局）１＃１は、移動局２から制御チャネルを受信する（ステップＳ１０４）。
【００３９】
次いで、基地局（着目基地局）１＃１は、スケジューラ１４（図３）において基地局（周辺基地局）１＃２が使用中の周波数ブロック、タイムスロットもしくは符号の少なくとも一つを使用不可とするか、スケジューリングに用いられるＣＱＩにオフセットを加えてその周波数ブロック、タイムスロットもしくは符号の少なくとも一つへの割り振りが行われにくくする（ステップＳ１０５）。
【００４０】
図５〜図１１はスケジューリングの例を示す図であり、「Ｍａｘ  ＣＩＲ」のアルゴリズムに基づくものである。なお、図５は比較のために本発明の機能を使用しない場合の例であり、図６〜図１１は本発明の機能を使用した場合の例である。
【００４１】
Ｍａｘ  ＣＩＲは、周波数ブロックのＳＩＲが高い移動局から優先的にスケジューリングする方法であり、逆に、ＳＩＲが低い移動局のパケット送信の割り当て機会が減少する。
【００４２】
図５においては、１つのＯＦＤＭシンボルが複数のサブフレームに分割され、サブフレーム毎に最もＳＩＲが高い移動局が割り振られる。すなわち、サブフレーム＃１においては、周波数ブロック番号１につき移動局＃１が、周波数ブロック番号２につき移動局＃２が、周波数ブロック番号３につき移動局＃２が割り振られる。サブフレーム＃２においては、周波数ブロック番号１につき移動局＃１が、周波数ブロック番号２につき移動局＃２が、周波数ブロック番号３につき移動局＃２が割り振られる。サブフレーム＃３においては、周波数ブロック番号１につき移動局＃１が、周波数ブロック番号２につき移動局＃３が、周波数ブロック番号３につき移動局＃２が割り振られる。
【００４３】
図６は周辺基地局が使用している周波数ブロックを使用不可にしてユーザデータを割り振らない場合の例である。ここでは周波数ブロック番号３を周辺基地局が使用していると仮定しており、この周波数ブロックについては移動局のＳＩＲに関係なく割り振りを禁止する。
【００４４】
図７は周辺基地局が使用している周波数ブロックに割り振る機会を減らした場合の例である。ここでは周波数ブロック３を周辺基地局が使用していると仮定しており、その周波数ブロックについては、例えば３サブフレーム時間に１サブフレームしか割り振らないものとしている。
【００４５】
図８は周辺基地局が使用している周波数ブロックのＳＩＲにオフセット値を与え、その周波数ブロックについてはＳＩＲが閾値を超えた場合のみしかユーザデータを割り振らないようにした場合の例である。ここでは周波数ブロック番号３を周辺基地局が使用していると仮定している。図８において、サブフレーム＃１とサブフレーム＃２の周波数ブロック番号３においては、閾値を超えるものがないため割り振りは行われない。また、サブフレーム＃３の周波数ブロック番号３においては、移動局＃２のＳＩＲが閾値を超えるため周波数ブロック番号３に割り振りが行われる。
【００４６】
図９は周辺基地局が使用している無線リソースを使用不可にしてユーザデータを割り振らない場合の例である。ここでは周波数ブロック番号３−サブフレーム番号３のタイムスロットの無線リソースを周辺基地局が使用していると仮定しており、この無線リソースについては移動局のＳＩＲに関係なく割り振りを禁止する。
【００４７】
図１０は周辺基地局が使用している無線リソースに割り振る機会を減らした場合の例である。ここでは周波数ブロック番号３−サブフレーム番号１、３のタイムスロットの無線リソースを周辺基地局が使用していると仮定しており、その無線リソースについては、例えば２無線リソースに１無線リソースしか割り振らないものとしている。図ではサブフレーム番号１に無線リソースを割り振ったため、サブフレーム番号３には割り振りを行っていない。
【００４８】
図１１は周辺基地局が使用している無線リソースのＳＩＲにオフセット値を与え、その無線リソースについてはＳＩＲが閾値を超えた場合のみしかユーザデータを割り振らないようにした場合の例である。ここでは周波数ブロック番号３−サブフレーム番号１、３のタイムスロットの無線リソースを周辺基地局が使用していると仮定している。図１１において、サブフレーム＃１の周波数ブロック番号３の無線リソースにおいては、閾値を超えるものがないため割り振りは行われない。また、サブフレーム＃３の周波数ブロック番号３の無線リソースにおいては、移動局＃２のＳＩＲが閾値を超えるため割り振りが行われる。
【００４９】
また、上記の適応的な無線リソースの割り振りは，ＴＤＭＡやＣＤＭＡのような周波数を分割して利用しないアクセス方式にも適用することもできる。ＴＤＭＡの場合には、周波数ブロックを一つとして、同様にタイムスロットを割り振ればよい。ＣＤＭＡにおいては、ＴＤＭＡでのタイムスロットの割り振りを符号に置き換えればよい。
【００５０】
＜第２の実施形態＞
図１２は第２の実施形態の構成例を示す図であり、周辺基地局から無線リソースの使用状況の情報を報知するのではなく、周辺基地局近傍の移動局における測定によって周辺基地局の無線リソースの使用状況を把握するようにしたものである。これにより、周辺基地局は共通制御チャネルに無線リソースの使用状況の情報を含める必要がなくなるため、制御構造が簡素化できる。
【００５１】
図１２において、基地局１＃１、１＃２の構成としては、干渉電力測定用の既知のシンボルからなる参照信号を送信する参照信号送信部１６が明示されている他は図３に示した構成と同様である。なお、この種の参照信号は受信電力レベルの測定や伝搬路推定に通常利用されるものであり、基地局の一般的な機能として含まれるものである。
【００５２】
移動局２は、図３において説明した共通制御チャネル受信部２１と制御チャネル送信部２２の他に、共通制御チャネルの受信電力レベルを測定する共通制御チャネル受信電力レベル測定部２３と、ＧＰＳ（Global Positioning System）衛星からの信号受信により自装置の位置を測定するＧＰＳ受信部２４（移動局２に該当機能が存在しない場合は省略可）と、共通制御チャネル受信電力レベル測定部２３により測定された受信電力レベルもしくはＧＰＳ受信部２４により測定された位置情報から周辺基地局（基地局１＃２）が近傍に存在するか否か判定する周辺基地局近傍判定部２５とを備えている。なお、ＧＰＳ受信部２４による位置情報から近傍か否か判定することに対応するため、周辺基地局（基地局１＃２）からの共通制御チャネルに位置情報が含まれるものとする。
【００５３】
また、移動局２は、周辺基地局（基地局１＃２）からの参照信号を用いて周波数領域、時間領域、符号領域もしくはこれらの組み合わせにつき干渉電力を測定する干渉電力測定部２６と、その測定結果から周辺基地局（基地局１＃２）の無線リソースの使用状況を判定する周辺基地局使用中無線リソース判定部２７とを備えている。
【００５４】
図１３は第２の実施形態の処理例を示す図である。
【００５５】
図１３において、基地局（周辺基地局）１＃２は、自装置の位置情報を共通制御チャネルに含めて移動局２に報知する（ステップＳ２０１）。
【００５６】
移動局２は、基地局（周辺基地局）１＃２からの共通制御チャネルを受信し、その受信電力レベルの測定もしくは位置情報の受信を行う（ステップＳ２０２）。この際、移動局２は接続基地局との通信を行っていない間に、基地局（周辺基地局）１＃２とフレームタイミングの同期を確立する等の通常の接続手順を行い、共通制御チャネルを受信する。なお、周辺基地局と通信を行うために必要な情報（フレームタイミングや使用コード等）は保持していてもよい。また、周辺基地局との接続は、周期的に行うか、もしくは周辺基地局の共通制御チャネルの受信電力レベルが閾値を超えたことをトリガとして行ってもよい。更に、周辺基地局との接続は、着目基地局の無線リソースの使用状況がある閾値以下になったことや着目基地局が新設されたことをトリガとして、着目基地局が周辺基地局へ指示を行うことによって、開始されてもよい。
【００５７】
そして、移動局２は、基地局（周辺基地局）１＃２が近傍にあるかどうかの判定を行う（ステップＳ２０３）。ここで、共通制御チャネルの受信電力レベルから近傍にあるかどうかを判断する場合は、共通制御チャネルの受信電力レベルが所定の閾値以上であれば近傍であると判定する。また、位置情報から判断する場合は、基地局１＃２と移動局２の位置から距離を割り出し、所定の閾値以下であれば近傍であると判定する。判定の結果、基地局１＃２が移動局２の近傍にないと判定した場合は処理を終了する（ステップＳ２０４）。なお、基地局１＃２が移動局２の近傍にあることを以後の処理の条件としたのは、干渉電力により使用中の無線リソースを判定するにあたり、他の要因による干渉電力によって誤判定する可能性を排除するためである。
【００５８】
次いで、移動局２は、基地局１＃２が移動局２の近傍にあると判定した場合、周波数領域、時間領域、符号領域もしくはこれらの組み合わせ等について干渉電力の測定を行い（ステップＳ２０５）、その測定結果から基地局（周辺基地局）１＃２が使用中の無線リソースを判定する（ステップＳ２０６）。
【００５９】
次いで、移動局２は、基地局（周辺基地局）１＃２の無線リソースの使用状況の情報を基地局（着目基地局）１＃１に制御チャネルで送信する（ステップＳ２０７）。これは、測定報告により、もしくは独自フレームを使った手続により行う。制御チャネルによる送信は、周期的に行うか、もしくは周辺基地局の共通制御チャネルの受信電力レベルが閾値を超えたことをトリガとして行ってもよい。さらに、制御チャネルによる送信は、着目基地局の無線リソースの使用状況がある閾値以下になったことや着目基地局が新設されたことをトリガとして、着目基地局が周辺基地局へ指示を行うことによって、開始されてもよい。
【００６０】
これを受け、基地局（着目基地局）１＃１は、移動局２から制御チャネルを受信する（ステップＳ２０８）。
【００６１】
次いで、基地局（着目基地局）１＃１は、スケジューラ１４（図３）において基地局（周辺基地局）１＃２が使用中の周波数ブロック、タイムスロットもしくは符号の少なくとも一つを使用不可とするか、スケジューリングに用いられるＣＱＩにオフセットを加えてその周波数ブロック、タイムスロットもしくは符号の少なくとも一つへの割り振りが行われにくくする（ステップＳ２０９）。
【００６２】
以後のスケジューリングの処理は図６〜図８に示したものと同様である。
【００６３】
＜総括＞
以上説明したように、本発明の実施形態によれば次のような利点がある。
（１）周波数ブロック、タイムスロット、符号もしくはこれらの組み合わせ等の無線リソースに関する周辺基地局の使用状況を考慮して無線リソースの割り振りのスケジューリングを行うことで、基地局間の干渉を低減することができる。
（２）特に、セルサイズの違いにより干渉の影響が深刻であるマクロ基地局−ホーム基地局間の干渉を低減することができる。
（３）同程度のセルサイズのセル間干渉の低減にも利用でき、隣接セル間で異なる無線リソースを占有することで、干渉を低減し、良好な品質を確保することができる。
（４）ホーム基地局同士、ホーム基地局とマクロ基地局間の有線ネットワークでの情報のやり取りは困難であり、インタフェースは規定されない可能性が高いことは前述したが、基地局間での有線ネットワークでの情報のやり取りは利用しないため、親和性が高い。
（５）周辺基地局の共通制御チャネルの受信電力レベルを測定する場合、この種の測定は従来から行われていたため、新たな仕組みが必要とされることはない。
【００６４】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００６５】
【図１】ＯＦＤＭＡによる周波数ブロックの割り振りの例を示す図である。
【図２】マクロ基地局からホーム基地局への干渉の例を示す図である。
【図３】第１の実施形態の構成例を示す図である。
【図４】第１の実施形態の処理例を示す図である。
【図５】スケジューリングの例を示す図（その１）である。
【図６】スケジューリングの例を示す図（その２）である。
【図７】スケジューリングの例を示す図（その３）である。
【図８】スケジューリングの例を示す図（その４）である。
【図９】スケジューリングの例を示す図（その５）である。
【図１０】スケジューリングの例を示す図（その６）である。
【図１１】スケジューリングの例を示す図（その７）である。
【図１２】第２の実施形態の構成例を示す図である。
【図１３】第２の実施形態の処理例を示す図である。
【符号の説明】
【００６６】
１＃１、１＃２    基地局
１１              無線リソース使用状況認識部
１２              共通制御チャネル送信部
１３              制御チャネル受信部
１４              スケジューラ
１５              共有チャネル送信部
１６              参照信号送信部
２                移動局
２１              共通制御チャネル受信部
２２              制御チャネル送信部
２３              共通制御チャネル受信電力レベル測定部
２４              ＧＰＳ受信部
２５              周辺基地局近傍判定部
２６              干渉電力測定部
２７              周辺基地局使用中無線リソース判定部
【図１】
2008278265.tif 000003
【図２】
2008278265.tif 000004
【図３】
2008278265.tif 000005
【図４】
2008278265.tif 000006
【図５】
2008278265.tif 000007
【図６】
2008278265.tif 000008
【図７】
2008278265.tif 000009
【図８】
2008278265.tif 000010
【図９】
2008278265.tif 000011
【図１０】
2008278265.tif 000012
【図１１】
2008278265.tif 000013
【図１２】
2008278265.tif 000014
【図１３】
2008278265.tif 000015